(57)【特許請求の範囲】
【請求項１】
狭幅の空間内に便器を設置し、左の壁側又は右の壁側にカウンタ付き手洗器ユニットと手摺を取付けたトイレルームにおいて、前記手摺を、壁に直接取付けるとともに便器側へ延ばした水平部及びこの水平部の先端から下方へ延ばした垂下部で構成し、この垂下部の下端を前記カウンタ付き手洗器ユニットの前面に当て、しかも、前記手摺の奥行きを、前記カウンタ付き手洗器ユニットの手洗器の奥行き以内に設定したものであって、前記カウンタ付き手洗器ユニットをカウンタ、手洗器、給水栓用配管を収納する収納ボックスで構成し、この収納ボックスに前記壁から前面まで延びたサポートを内蔵し、このサポートの前端に前記手摺の垂下部の下端を取付けたことを特徴とするトイレルームの手摺取付け構造。
【発明の詳細な説明】
【０００１】
【発明の属する技術分野】
本発明はトイレルームの手摺取付け構造に関する。
【０００２】
【従来の技術】
近年、トイレルームに手摺を設けることが多くなってきた。手摺があると、高齢者や障害者等がトイレルームを使用するのに便利であり、特に、便器に腰を下ろしたり、立ち上がったりする際に利用することが多い。
このようなトイレルームの手摺取付け構造として、例えば、実開平４−１２３１９７号公報「トイレブースの手摺り装置」の技術がある。
上記技術は、その公報の図１及び図２によれば、左右の側壁２，３（番号は公報に記載されたものを引用した。以下同じ。）と奥の壁４と手前の壁５とで囲んだトイレブース１内に便器９を設置し、左の側壁２に手摺り１０を取付け、右の側壁３側にカウンター１１、手洗い用のボール１２、給水栓１３等を備えた手洗い台１４を設置し、カウンター１１の上に手摺り１６を取付けたものである。
【０００３】
【発明が解決しようとする課題】
ところで、家庭用トイレルームなどは、一般に狭幅であることが多い。このような狭幅のトイレルームにおいて、壁に上記手摺り１０を取付けたのでは、狭幅であるトイレルームのスペースをさらに狭めることになり、しかも、使用者の手や腕などが手摺り１０に当ることが多くなり、トイレルームの使い易さは劣る。一方、カウンター１１の上に手摺り１６を取付けたのでは、カウンター１１が邪魔になり、手摺り１６の使い易さは劣る。
【０００４】
そこで、本発明の目的は、狭幅であるトイレルームのスペースを狭めることなく、しかも、手摺本来の役割を十分に果たすことができるようにした、手摺取付け構造の技術を提供することにある。
【０００５】
【課題を解決するための手段】
上記目的を達成するために請求項１の発明は、狭幅の空間内に便器を設置し、左の壁側又は右の壁側にカウンタ付き手洗器ユニットと手摺を取付けたトイレルームにおいて、手摺を、壁に直接取付けるとともに便器側へ延ばした水平部及びこの水平部の先端から下方へ延ばした垂下部で構成し、この垂下部の下端をカウンタ付き手洗器ユニットの前面に当て、しかも、手摺の奥行きを、カウンタ付き手洗器ユニットの手洗器の奥行き以内に設定したものであって、カウンタ付き手洗器ユニットをカウンタ、手洗器、給水栓用配管を収納する収納ボックスで構成し、この収納ボックスに壁から前面まで延びたサポートを内蔵し、このサポートの前端に手摺の垂下部の下端を取付けたことを特徴とする。
【０００６】
（１）手摺の奥行きは、カウンタ付き手洗器ユニットの奥行き以内の大きさである。また、手摺は壁から便器側へ延びた水平部と、水平部の先端から下方へ延びた垂下部とからなるので、水平部及び垂下部を手摺として使用することができる。このため、手摺は、狭幅であるトイレルームのスペースを狭めることなく、しかも、手摺本来の役割を十分に果たすことができる。そして、トイレルーム使用者の身体が手摺に当らないので、トイレルームの使い易さは高まる。また、手摺がカウンタ付き手洗器ユニットから突出しないので、トイレルーム使用者の使い易い位置へ自由に取付けることができ、設計の自由度は高まる。
（２）横に延びたカウンタ付き手洗器ユニットに、縦に延びた手摺を上下にオーバーラップさせて、しかも、カウンタ付き手洗器ユニットから突出しないように組合せることができるので、組合せ構成の外観性は高まる。
【０００７】
（３）手摺の荷重は壁に直接に、又、サポートを介して壁に作用する。このため、手摺の荷重がカウンタ付き手洗器ユニットに作用しないので、カウンタ付き手洗器ユニットの剛性を高めずにすみ、簡素な構成になる。
（４）給水栓用配管を収納する収納ボックスの空きスペースに、サポートを通すことができるので、収納ボックスのスペースの有効利用を図ることができる。
（５）収納ボックスの前面まで延びたサポートの前端に、手摺の垂下部の下端を取付けたので、カウンタ付き手洗器ユニットを設置した後に、ユニットの前面から手摺を取付けることができる。このため、手摺の取付け作業は容易である。
【０００８】
【発明の実施の形態】
本発明の実施の形態を添付図に基づいて以下に説明する。なお、図面は符号の向きに見るものとする。
図１は本発明に係るトイレルームの平面図であり、天井を省略して示す。
トイレルーム１は、床２と左右の壁３，４と奥の壁５と手前の壁６と図示せぬ天井とで囲った、平面視矩形の室であり、この室は、例えば幅８００ｍｍ、奥行き１５００ｍｍ程度の狭幅の空間である。手前の壁６は、ドア７を取付けたものである。
そして、このトイレルーム１は、奥の壁５へ寄せた位置に洋式便器８を設置し、右の壁４にカウンタ付き手洗器ユニット１０を取付けたものである。
図中、９はロータンクである。
【０００９】
図２は本発明に係るカウンタ付き手洗器ユニット廻りの斜視図である。
カウンタ付き手洗器ユニット１０は、奥の壁５から手前の壁６まで横に延びた細長いユニットであり、このユニットは、奥の壁５から手前へ延びたカウンタ１１と、手前の壁６側の手洗器１２と、手洗器１２とカウンタ１１との間の収納ボックス１３と、収納ボックス１３の下方に取付けた給排水カバー１４とからなる。カウンタ１１の奥行きは、収納ボックス１３の奥行きとほぼ同一であって、手洗器１２の奥行きより小さい。
【００１０】
手洗器１２は、比較的奥行きの小さい平面視横長形状を呈し、下部に排水孔２１を有するボール部２２と、ボール部２２の上端部に形成したリム部２３と、リム部２３の奥の部分に形成した平板状の奥壁部２４とからなる。
収納ボックス１３は、手洗器１２に向って給水栓３１を取付けるとともに、図示せぬ給水栓用配管を収納するボックスであって、手洗器１２と一体に形成し、又は別体品を手洗器１２に取付ける構成である。
収納ボックス１３の上部には、手摺４０を配置したものであるが、詳細な構成は後述する。
図中、３２はカウンタ１１の下方の棚、３３，３３はトイレットペーパー用ホルダ、３４は手洗器１２の下部に取付けたタオル掛けである。
【００１１】
図３は本発明に係る手洗器、収納ボックス及び手摺取付け部分の要部正面図であり、給水栓３１に給水栓用配管３５を取付け、給水栓用配管３５を収納ボックス１３に収納し、手洗器１２の排水孔２１に排水管３６を取付け、さらに、給水栓用配管３５及び排水管３６を給排水カバー１４で覆ったことを示す。
手摺４０は右の壁４と収納ボックス１３の上部前面にわたって取り付いた状態にある。
【００１２】
図４は図３の４−４線断面図であり、手摺４０は、右の壁４にビス４４で直接取付けるとともに洋風便器側（この図の左側）へ延ばした水平部４１と、水平部４１の先端から下方へ延ばした垂下部４５とからなる、側面視略逆Ｌ字状手摺である。この手摺４０は、例えば樹脂材料からなる。
一方、収納ボックス１３は、右の壁４から収納ボックス１３の前面まで延びたサポート６０を内蔵し、このサポート６０の前端に手摺４０の垂下部４５の下端を取付けたものである。このため、垂下部４５の下端はカウンタ付き手洗器ユニット１０の前面に当たる。
詳しくは、サポート６０は、例えば金属材料からなり、基端を右の壁４にビス６５で固定し、前端に垂下部４５の下端をビス６６で取付けた構成である。
ところで、手摺４０の奥行きＬ１は、手洗器２２の奥行きＬ２以内に設定することにより、カウンタ付き手洗器ユニット１０の手洗器２２の奥行きＬ２以内に設定したものである。
【００１３】
図５は本発明に係る手摺及びサポートの分解斜視図である。
手摺４０の水平部４１は、基端に鍔部４２を形成し、この鍔部４２のビス孔４３，４３にビス４４，４４を通して壁に取付ける構成である。手摺４０の垂下部４５は、下端の前面に段差状の取付け座４６を形成し、この取付け座４６にビス孔４７，４７と上部係止溝４８と下部係止溝４９とを形成した構成である。取付け座４９は、ビス孔４７，４７を開けた前面を、着脱可能な化粧カバー５０で覆われたものであり、覆った状態の化粧カバー５０は垂下部４５の外面と概ね面一になる。化粧カバー５０は上部係止溝４８に掛け止める上部鈎部５１と、下部係止溝４６に掛け止める下部鈎部５２とを一体に形成したものである。
【００１４】
一方、サポート６０は下方を開放した断面コ字状体であり、このコ字状体の基端に、４つのビス孔６１…（…は複数を示す。以下同じ。）を開けた基板６２を形成し、コ字状体の前端に、２つのナット６３，６３を備える前板６４を形成した構成である。基板６２はビス孔６１…にビス６５…を通して壁に取付けるものであり、前板６４は取付け座４６をナット６３，６３とビス６６，６６とで取付ける構成である。
【００１５】
次に、上記構成のトイレルームの手摺取付け構造の取付け手順を図４に基づき説明する。なお、取付け手順は上記構成の理解を容易にするために説明したものであり、これらの手順に限定するものではない。
先ず、右の壁４にカウンタ付き手洗器ユニット１０を取付け、次に、収納ボックス１３の位置で、右の壁４にサポート６０の基板６２をビス６５で取付ける。
その後、手摺４０の取付け位置を合せて、右の壁４に水平部４１の鍔部４２をビス４４で取付け、サポート６０の前板６４に備えたナット６３に取付け座４６をビス６６で取付ける。
最後に、取付け座４６に化粧カバー５０を被せて、作業を完了する。
【００１６】
このように、収納ボックス１３の前面まで延びたサポート６０の前端に、手摺４０の垂下部４５の下端を取付けたので、カウンタ付き手洗器ユニット１０を設置した後に、ユニットの前面から手摺４０を取付けることができる。このため、手摺４０の取付け作業は容易である。
【００１７】
次に、上記構成の手摺４０の使用例を図６に基づき説明する。
図６（ａ），（ｂ）は本発明に係る手摺の使用例図である。
（ａ）はトイレルーム使用者Ｍ（以下、単に「使用者Ｍ」と言う。）が洋式便器８の便座８ａに腰を下ろしたり、立上がったりする状態を示す。この場合には、使用者Ｍは手摺４０の垂下部４５に掴まって、腰を下ろしたり立上がったりすることができる。
（ｂ）は使用者Ｍがトイレルーム１内で立った状態を示す。この場合には、使用者Ｍは手摺４０の水平部４１や垂下部４５に掴まり、身体を支えることができる。このため、高齢者や障害者等の使用者Ｍが、トイレルーム１内を歩いたり手を洗ったりすることは容易である。
【００１８】
このように、手摺４０は狭幅であるトイレルーム１のスペースで、手摺本来の役割を十分に果たすことができる。しかも、手摺４０の奥行きは、カウンタ付き手洗器ユニット１０の奥行き以内の大きさであり、このため、手摺４０は、狭幅であるトイレルーム１のスペースを狭めることがない。そして、使用者Ｍの身体が手摺４０に当らないので、身体の自由度が増し、トイレルーム１の使い易さは高まる。
さらに、手摺４０を右の壁４に直接に、又、サポート６０を介して右の壁４に取付けたものであり、このため、手摺４０の荷重は壁４０にのみ作用するので、カウンタ付き手洗器ユニット１０に作用しない。従って、カウンタ付き手洗器ユニット１０は、手摺４０の荷重の影響を受けない。
【００１９】
次に、トイレルームの手摺取付け構造の変形例を図７に基づき説明する。なお、上記図１〜図６に示す実施の形態と同一構成については同一符号を付し、その説明を省略する。
図７は本発明に係る手摺取付け部分（変形例）の要部斜視図である。
手摺４０は水平部４１を、奥行きの等しい２つの水平グリップ４１ａ，４１ａと、これら水平グリップ４１ａ，４１ａの先端同士を連結した連結グリップ４１ｂとからなる平面視コ字状体としたことを特徴とする。
このため、手摺４０は２つの水平グリップ４１ａ，４１ａ、連結グリップ４１ｂ及び垂下部４５のどこでも掴まることができるので、掴まる箇所が多くなり、使い易い。
【００２０】
なお、上記実施の形態及び変形例において、便器８は洋式便器の他に和式便器でもよい。
また、カウンタ付き手洗器ユニット１０及び手摺４０は、左の壁３に取付ける構成でもよい。
さらに、カウンタ付き手洗器ユニット１０において、カウンタ１１、手洗器１２、収納ボックス１３の配列は任意である。
さらにまた、手摺４０の水平部４１並びに垂下部４５の断面形状は、掴まり易い形状であれば任意である。
【００２１】
【発明の効果】
本発明は上記構成により次の効果を発揮する。
請求項１の発明は、手摺を、壁に直接取付けるとともに便器側へ延ばした水平部及びこの水平部の先端から下方へ延ばした垂下部で構成したので、水平部及び垂下部を手摺として使用することができる。また、手摺の奥行きは、カウンタ付き手洗器ユニットの手洗器の奥行き以内の大きさである。このため、手摺は、狭幅であるトイレルームのスペースを狭めることなく、しかも、手摺本来の役割を十分に果たすことができる。そして、トイレルーム使用者の身体が手摺に当らないので、トイレルームの使い易さは高まる。また、手摺がカウンタ付き手洗器ユニットから突出しないので、トイレルーム使用者の使い易い位置へ自由に取付けることができ、設計の自由度は高まる。
さらに、横に延びたカウンタ付き手洗器ユニットに、縦向きの手摺を上下にオーバーラップさせて、しかも、カウンタ付き手洗器ユニットから突出しないように組合せることができるので、組合せ構成の外観性は高まる。
【００２２】
請求項１の発明では、カウンタ付き手洗器ユニットをカウンタ、手洗器、給水栓用配管を収納する収納ボックスで構成し、この収納ボックスに壁から前面まで延びたサポートを内蔵し、このサポートの前端に手摺の垂下部の下端を取付けたので、手摺の荷重が壁に直接に、又、サポートを介して壁に作用する。このため、手摺の荷重がカウンタ付き手洗器ユニットに作用しないので、カウンタ付き手洗器ユニットの剛性を高めずにすみ、簡素な構成になる。
また、給水栓用配管を収納する収納ボックスの空きスペースに、サポートを通すことができるので、収納ボックスのスペースの有効利用を図ることができる。
さらに、収納ボックスの前面まで延びたサポートの前端に、手摺の垂下部の下端を取付けたので、カウンタ付き手洗器ユニットを設置した後に、ユニットの前面から手摺を取付けることができる。このため、手摺の取付け作業は容易である。
【図面の簡単な説明】
【図１】本発明に係るトイレルームの平面図
【図２】本発明に係るカウンタ付き手洗器ユニット廻りの斜視図
【図３】本発明に係る手洗器、収納ボックス及び手摺取付け部分の要部正面図
【図４】図３の４−４線断面図
【図５】本発明に係る手摺及びサポートの分解斜視図
【図６】本発明に係る手摺の使用例図
【図７】本発明に係る手摺取付け部分（変形例）の要部斜視図
【符号の説明】
１…トイレルーム、３…左の壁側、４…右の壁側、８…便器（洋式便器）、１０…カウンタ付き手洗器ユニット、４０…手摺、４１…水平部、４１ａ…水平グリップ、４１ｂ…連結グリップ、４５…垂下部、１１…カウンタ、１２…手洗器、３１…給水栓、３５…給水栓用配管、１３…収納ボックス、６０…サポート、Ｌ１…手摺の奥行き、Ｌ２…カウンタ付き手洗器ユニットの手洗器の奥行き。
【図１】
0003562549.tif 000002
【図２】
0003562549.tif 000003
【図３】
0003562549.tif 000004
【図４】
0003562549.tif 000005
【図５】
0003562549.tif 000006
【図６】
0003562549.tif 000007
【図７】
0003562549.tif 000008